(57)【要約】ヘッド部分（１６）、このヘッド部分から後方に延長する部材（１８）および保持素子（３８）を有するフレーム（１２）と、ならびに少なくとも部分的にヘッド部分（１６）を収納する袋（１４）とを設け、この袋は、それぞれヘッド部分（１６）の上側および下側に延在する大きさで、相互に連結された頂部パネルと底部パネル（５８，６０）を有し、頂面パネル（５８）の後端縁（７２）を保持素子（３８）によってフレーム（１２）に取り付け可能にし、頂部パネルと底部パネル（５８，６０）は側方部分（６６）を画定し、この側方部分（６６）によって、ヘッド部分（１６）を少なくとも部分的に袋（１４）に収納するとき、ヘッド部分（１６）の範囲を越えてはみ出す袋材料余剰部分を生じ、この袋材料余剰部分によって、ヘッド部分（１６）の下側における底部パネル（６０）の後端縁（７４）を、延長部材（１８）から取り外し、ヘッド部分（１６）および頂部パネル（５８）の上方を通過して部材（１８）に向けて後方に逆行させることによって、袋（１４）を裏返すことを可能にする、汚物回収具（１０）。
2009532040.tif 000002
【特許請求の範囲】
【請求項１】
汚物回収具において、
ヘッド部分、およびこのヘッド部分から後方に延長する延長部材を有し、前記ヘッド部分および延長部材のうち一方から突出する頂部保持素子を設けたフレームと、および、
前記ヘッド部分を少なくとも部分的に収納する袋であって、ヘッド部分の上側に延在する大きさの頂部パネル、およびヘッド部分の下側に延在する大きさの底部パネルを有し、これら頂部および底部のパネルを前端縁および側端縁に沿って相互連結し、これら頂部および底部のパネル間に後方開口端部を画定し、前記袋の側方部分は、前記袋に前記ヘッド部分を少なくとも部分的に収納するとき、前記ヘッド部分の範囲を越えてはみ出す袋材料余剰部分を生じ、この袋材料余剰部分によって、頂部パネルの後端縁を前記フレームに取り付けた状態に保持したままで、前記ヘッド部分の下側における前記底部パネルの後端縁を、延長部材から取り外し、ヘッド部分および頂部パネルの上方を通過して延長部材に向けて後方に逆行させることによって、袋を裏返すことを可能にした、該袋と
を備えたことを特徴とする汚物回収具。
【請求項２】
請求項１に記載の汚物回収具において、前記延長部材は、前記頂部保持素子とは反対側でこの延長部材から突出する底部保持素子を有し、また袋の底部パネルの後端縁は、頂部保持素子によって着脱および保持可能とした、汚物回収具。
【請求項３】
請求項１，２に記載の汚物回収具において、さらに、前記延長部材から突出するクリップ素子を設け、このクリップ素子は、裏返しにした袋を頂部保持素子によって保持した状態で、裏返した袋を少なくとも部分的に閉じる形状に形成した、汚物回収具。
【請求項４】
請求項１〜３のいずれか一項に記載の汚物回収具において、前記フレームは、フレームに画定した保管隔室を有するものとした、汚物回収具。
【請求項５】
請求項１〜４のいずれか一項に記載の汚物回収具において、前記ヘッド部分および延長部材を互いに枢着連結した、汚物回収道具。
【請求項６】
請求項１〜５のいずれか一項に記載の汚物回収具において、前記頂部保持素子は、前記延長部材から突出するピンとし、頂部パネルの後端縁には、この後端縁をフレームに取り付けるよう前記ピンを収容する孔を設けた、汚物回収具。
【請求項７】
請求項１〜６のいずれか一項に記載の汚物回収具において、前記ヘッド部分は、前記延長部材とは反対側に前端縁を有し、この前端縁は、ヘッド部分上に汚物をすくい取るのを容易にするような形状とした、汚物回収具。
【請求項８】
表面積を画定するフレームの一部を収納する裏返し可能な袋において、
第１前端縁、第１後端縁、これら第１前端縁と第１後端縁との間に延在する第１側端縁を有する頂部パネルであって、前記表面積に対応する頂部部分、および前記第１側端縁と前記頂部部分との間に延在する第１側方部分を画定する、該頂部パネルと、および、
第２前端縁、第２後端縁、これら第２前端縁と第２後端縁との間に延在する第２側端縁を有する底部パネルであって、各第２側端縁を対応する第１側端縁にそれぞれ連結し、また前記表面積に対応する底部部分と、前記第２側端縁と前記底部部分との間に延在する第２側方部分を画定する、該底部パネルと
を備え、前記第１側方部分および第２側方部分は、前記袋材料の余剰部分をなして、前記底部部分の形態にほとんど影響を与えることなく、前記第２後端縁を、前記底部部分の下方、そして前記第１および第２の前端縁の周りに送り出すことを可能にする構成とした、ことを特徴とする袋。
【請求項９】
請求項８に記載の袋において、前記頂部および底部のパネルは、それぞれ、第１および第２の前端縁に沿って截頭したほぼ截頭三角形状にした袋。
【請求項１０】
請求項８または９に記載の袋において、さらに、第１後端縁から突出し、前記フレームに着脱可能に係合できる保持素子を有する頂部タブを設けた袋。
【請求項１１】
請求項９または１０に記載の袋において、さらに、第２後端縁から突出し、前記フレームに着脱可能に係合できる保持素子を有する底部タブを設けた袋。
【請求項１２】
汚物処分方法において、前記フレームの上方および下方にそれぞれ延在し、後方の開口端部を画定する、部分的に互いに連結した頂部パネルおよび底部パネルを有するものとした袋の開口端部からフレームを部分的に挿入するステップと、
前記頂部パネルの後端縁を前記フレームに保持するステップと、
前記フレーム上の前記頂部パネルに汚物を受け止めるステップと、
前記底部パネルの後端縁を、前記フレームの前端縁の前方に移動して、前記底部パネルを少なくとも部分的に裏返すステップと、そして
前記底部パネルの後端縁を、前記頂部パネルおよび前記汚物の上方に通過させて後方に移動し、汚物を袋内に収納した状態で袋を裏返すステップと
を有することを特徴とする汚物処分方法。
【請求項１３】
請求項１２に記載の汚物処分方法において、前記汚物を受け止めるステップは、汚物が落下すると予測される位置に頂部パネルを配置するステップと、落下する汚物を前記頂部パネル上にキャッチするステップを有するものとした、汚物処分方法。
【請求項１４】
請求項１２に記載の汚物処分方法において、前記汚物を受け止めるステップは、地面から汚物をすくい上げるステップを有するものとした、汚物処分方法。
【請求項１５】
請求項１２〜１４のいずれか一項に記載の汚物処分方法において、さらに、裏返しにした袋の底部パネルの後端縁を前記フレームに取り付けるステップと、前記頂部および底部のパネルにおける後端縁の周りに袋を回転させて、前記フレーム設けたクリップ部材に袋を係合させるステップを有する、汚物処分方法。
【発明の詳細な説明】
【技術分野】
【０００１】
本発明は、汚物処分、とくに、フレームおよび袋を有する汚物回収処分具に関する。
【背景技術】
【０００２】
本件特許出願は、２００６年４月４日に出願された米国予備特許出願第６０／７８８，７０４号の優先権を主張するものである。
【０００３】
国によっては、ペットの飼い主は、公共所有地上にペットが排泄した汚物を取り除くように法律で義務付けられている。そのような法律が存在しない場所でさえ、ペットの飼い主は、そのような汚物を取り除くことを期待しているのが一般的である。なぜなら、通りや歩道に残された汚物は、概して外観上見苦しく、非衛生的であるからである。
【発明の開示】
【発明が解決しようとする課題】
【０００４】
多くのすくい取り具、すなわち地面の汚物をつかみ取るための道具は、袋に入れられ、汚物を拾うために使われるペンチのようなアームを有する。それから、袋は裏返しにされ、汚れた面と汚物は袋の内側に入れられる。しかしながら、ペンチのようなすくい取り具は、概して、キャッチャーのように使用するよう構成されておらず、すなわち汚物が地面に接触する前に汚物をキャッチする道具として使うには適していない。すくい取られる汚物は、概して、地面に汚物かすを残す。それは、とくに子供にとって健康被害となりうる。
【０００５】
さまざまな道具は、袋を開いた状態で支えることを可能にする。その袋は、汚物が排泄される前に動物の下方位置に保持し、そして袋内に汚物を取り込み、道具から外されて捨てられる。そのような道具の問題点は、袋の開いた端部が動物の下方に適切に整列されなかった場合には袋に汚物が落ちることによって、または袋の底が触れる地面によって、袋が汚れうる点である。したがって、使用者は汚れた袋を扱うことが求められるが、それは望ましくない。
【０００６】
したがって、改善が望まれる。
【課題を解決するための手段】
【０００７】
したがって、本発明の目的は、改善された汚物回収処分具を得るにある。
【０００８】
また、改善した汚物処分方法を得ることも、本発明の目的である。
【０００９】
したがって、本発明によれば、汚物回収具を提供し、この汚物回収具は、ヘッド部部、およびこのヘッド部分から後方に延長する延長部材を有し、前記ヘッド部分および延長部材のうち一方から突出する頂部保持素子を設けたフレームと、および前記ヘッド部分を少なくとも部分的に収納する袋であって、ヘッド部分の上側に延在する大きさの頂部パネル、およびヘッド部分の下側に延在する大きさの底部パネルを有し、これら頂部および底部のパネルを前端縁および側端縁に沿って相互連結し、これら頂部および底部のパネル間に後方開口端部を画定し、前記袋の側方部分は、前記袋に前記ヘッド部分を少なくとも部分的に収納するとき、前記ヘッド部分の範囲を越えてはみ出す袋材料余剰部分を生じ、この袋材料余剰部分によって、頂部パネルの後端縁を前記フレームに取り付けた状態に保持したままで、前記ヘッド部分の下側における前記底部パネルの後端縁を、延長部材から取り外し、ヘッド部分および頂部パネルの上方を通過して延長部材に向けて後方に逆行させることによって、袋を裏返すことを可能にした、該袋と、を備えたことを特徴とする。
【００１０】
さらに、本発明によれば、表面積を画定するフレームの一部を収納する裏返し可能な袋を提供し、この袋は、第１前端縁、第１後端縁、これら第１前端縁と第１後端縁との間に延在する第１側端縁を有する頂部パネルであって、前記表面積に対応する頂部部分、および前記第１側端縁と前記頂部部分との間に延在する第１側方部分を画定する、該頂部パネルと、および、第２前端縁、第２後端縁、これら第２前端縁と第２後端縁との間に延在する第２側端縁を有する底部パネルであって、各第２側端縁を対応する第１側端縁にそれぞれ連結し、また前記表面積に対応する底部部分と、前記第２側端縁と前記底部部分との間に延在する第２側方部分を画定する、該底部パネルとを備え、前記第１側方部分および第２側方部分は、前記袋材料の余剰部分をなして、前記底部部分の形態にほとんど影響を与えることなく、前記第２後端縁を、前記底部部分の下方、そして前記第１および第２の前端縁の周りに送り出すことを可能にする構成とした、ことを特徴とする。
【００１１】
さらに本発明によれば汚物処分方法を提供し、この方法において、前記フレームの上方および下方にそれぞれ延在し、後方の開口端部を画定する、部分的に互いに連結した頂部パネルおよび底部パネルを有するものとした袋の前記開口端部からフレームを部分的に挿入するステップと、前記頂部パネルの後端縁を前記フレームに保持するステップと、前記フレーム上の前記頂部パネルに汚物を受け止めるステップと、前記底部パネルの後端縁を、前記フレームの前端縁の前方に移動して、前記底部パネルを少なくとも部分的に裏返すステップと、そして前記底部パネルの後端縁を、前記頂部パネルおよび前記汚物の上方に通過させて後方に移動し、汚物を袋内に収納した状態で袋を裏返すステップと、を有することを特徴とする。
【発明を実施するための最良の形態】
【００１２】
本発明の特別な実施例による汚物回収処分具１０は、概してフレーム１２（図１参照）および袋１４（図３参照）を備える。汚物回収処分具１０は、汚物が地面に接触する前に捕捉（キャッチ）する、またすでに地面に落ちている汚物をすくい取るという、双方の使い方ができる。
【００１３】
図１および図２につき説明すると、フレーム１２は、概して、枢着連結部２０を介して柄１８に連結するシャベル状のヘッド１６を有する。したがって、ヘッド１６は、展開使用状態（図１参照）と折り畳み保管状態（図２参照）との間で回動可能である。代案として、ヘッド１６は、例えば剛性連結部を含む任意の適切な連結部を介して柄１８に連結することができる。
【００１４】
ヘッド１６は、幾分平面的形状とし、この平面的形状部分に画定したかなり大きい開口２２を設け、この開口は、例えば楕円形とすることができる。代案として、ヘッド１６は、凹面形状または汚物を受け止めるのに適した他の任意な形状とすることができ、この場合開口２２を省略することができる。ヘッド１６は、前端部に前端縁２４を画定し、この前端縁２４は、汚物回収処分具１０を地面の汚物をすくうのに使用し易くするため、ほぼシャベルの先端縁のような形状にする。ヘッド１６は、さらに、その後端部から突出するフィンガ２６を有する。フィンガ２６は、枢着連結部２０のピン２８を収容する、貫通孔（図示せず）を有する。
【００１５】
図１につき説明すると、柄１８は、第１、第２、第３の柄部分３０，３２，３４を備え、これら部分間で相対的な伸縮を可能にするよう、互いに摺動可能に連結する。第１柄部分３０は中空の棒状とし、一方の端部には、例えばヘッド１６のフィンガ２６を収容するための、互いに離れた２個のアーム３６を設ける。各アーム３６は、例えば枢着連結部２０を形成するピン２８を収容するフィンガ２６の貫通孔に整列する貫通孔（図示せず）を有する。ロック機構（図示せず）を随意に設け、ヘッド１６を使用状態に保持するとともに、ロック機構を解除するとき、ヘッド１６を折り畳み状態に戻す付勢手段（図示せず）を設ける。あるいは、ヘッド１６を折り畳み状態にロックし、通常は使用状態とすることができる。
【００１６】
枢着連結部２０の近傍で、第１柄部分３０には、さらに、互いに直径方向に対向する頂部と底部から突出する保持素子を設け、図示の特別な実施例では、ピン３８，４０（図４〜７も参照）を設ける。ピン３８，４０は、使用中すなわちヘッド１６が汚物をすくうまたはキャッチできる状態で、頂部ピン３８および底部ピン４０がほぼ同一垂直平面上に位置するよう配置する。
【００１７】
他の実施例においては、保持素子をヘッド１６に直接設けることもできる。
【００１８】
第１柄部分３０には、さらに、アーム３６とは反対側の端部５０の近傍に、少なくとも１個のクリップ部材４２を設ける。図示の実施例においては、ほぼ直径方向に対向する２個のクリップ部材４２を第１柄部分３０から突出させる。汚物回収処分具１０を使用するとき、クリップ部材４２は柄１８の両側から突出するよう配置する。代案として、２個以上のクリップ部材を設けることができる。
【００１９】
図１に明示するように、各クリップ部材４２は、第１柄部分３０から突出する湾曲連結部分４４、この湾曲連結部分４４から延びて存在する（延在する）第１柄部分３０にほぼ平行に離れて位置する主要部分４６、およびこの主要部分４６から第１柄部分３０に向かって第１柄部分３０に接触する、または近傍まで延在する湾曲遊端部分４８を有する。遊端部分４８は、連結部分４４よりも枢着連結部２０から離れている。すなわち、フレーム１２がヘッド１６を下側にして垂直状態に保持するとき、遊端部分４８は連結部分４４より上方にある。クリップ部材４２は、例えば成形によって第１柄部分３０と一体的に形成する、または個別に形成して第１柄部分３０に接着することができる。クリップ部材４２の他の形態もまた可能である。
【００２０】
第２柄部分３２は、第１柄部分３０の内部に摺動可能に収容する中空のロッドとする。第２柄部分３２を受ける第１柄部分の端部５０は、第２柄部分３２を具合よく包囲し、少なくとも伸張した位置において所要状態にこの第２柄部分３２を摩擦で保持するように、テーパを付ける。第１柄部分３０とは反対側の端部で、第２柄部分３２にスリーブ５２を設け、このスリーブ５２は、第２柄部分３２が第１柄部分３０の中に滑り込みすぎないようにするストッパとしての機能を果たす。
【００２１】
第３柄部分３４もまた、中空の第２柄部分内に摺動可能に収容するロッドとする。第２柄部分３２のスリーブ５２にはテーパ付き端部５４を設け、このテーパ付き端部５４により第３柄部分３４を具合よく包囲し、また所要位置に摩擦で保持する。したがって、第１、第２、第３の柄部分３０，３２，３４を互いに摺動させることにより、柄を望んだ長さにすることが可能である。これはまた、使用しないときには柄１８を最小限の長さにすることができ、汚物回収処分具１０を保管するために必要なスペースを最小限にする。各柄部分３０，３２，３４は、さらに、例えば、隣接する柄部分３０，３２，３４に画定した幾つかの収容孔のうち１個に係合可能な、柄部分３０，３２，３４から突出する押込み可能なピンを設けることにより、幾つかの相対的なプリセット位置を有することができる。
【００２２】
第３柄部分３４は、さらに、その遊端に、使用者によるフレーム１２の取り扱いを容易にする握り部５６を設ける。握り部５６は、さらに、第３柄部分３４が第２柄部分３２の中に滑り込みすぎないようにするストッパとしての機能を果たす。握り部５６には、随意的に、例えばおやつや追加の袋を保管するための、保管隔室を設けることができる。類似した保管隔室はまた、柄部分３０，３２，３４の相対的な摺動動作に干渉しないように、柄部分３０，３２，３４のうち１つ、例えば第１柄部分３０に、または第１柄部分３０から突出するように設けることができる。
【００２３】
さらに随意的な装備、例えば、暗がりで汚物回収処分具１０の使用を容易にするために、概してフレーム１２のヘッド１６に指向する光を発生する小さいランプ（図示せず）のような光源を、柄１８に設けることもできる。
【００２４】
第１、第２、第３の柄部分３０，３２，３４は、例えばプラスチックや金属などの適切な材料のあらゆる組み合わせによって形成することができる。
【００２５】
図３および図４につき説明すると、袋１４は、それぞれほぼ截頭した三角形状の頂部パネル５８および底部パネル６０を有し、これら頂部パネル５８および底部パネル６０は、截頭三角形状の截頭した端縁を画定する前端縁６２、および前端縁６２から互いに離れるよう延在する２個の角度付き側端縁６４に沿って相互に連結する。側端縁６４の角度により、相互連結されたパネル５８，６０が袋１４の拡大側方部分６６を画定する。パネル５８，６０は、さらに、袋１４の後方に開口端部６８を画定する。袋１４は中心軸線７０を有し、この中心軸線７０は、相互に連結された側端縁６４間における中間距離を画定する。袋の封止した長さは、相互連結した側端縁６４を中心軸線７０上に投影することによって画定され、この長さをＬで示す。
【００２６】
フィンガまたはタブ７２，７４が、頂部および底部のパネル５８，６０のそれぞれから後方に突出し、タブ７２，７４は互いに分離している。各タブ７２，７４は、対応する第１柄部分３０の保持素子に補完し合う保持素子を有し、図示の特別な実施例においては、ほぼ中心軸線７０に沿って画定した孔８４，８６を設ける。
【００２７】
図４につき説明すると、フレーム１２のヘッド１６は、袋１４の開口端部６８から挿入することができ、頂部および底部のパネル５８，６０の部分は、それぞれヘッド１６の上側および下側に直接延びて存在（延在）し、側方部分６６はヘッド１６の範囲を越えて延在し、各側方にゆるく垂れ下がる。相互連結した側端縁６４は、ヘッド１６の最後部が袋１４内に収納されるように、枢着連結部２０の近傍に延びるヘッド１６の後端縁８８まで上方に延在する。他の実施例においては、より小さい袋１４となるよう、先端１６の最後部を袋１４の外部にはみ出るようにすることができる。これは、より短い封止長さの方が、概して袋１４の余剰幅をより小さくすることができるためであり、これにより、より小さい側方部分６６は、比較的容易に袋１４を裏返すことができる。このことを、以下でさらに説明する。
【００２８】
タブ７２，７４における保持素子または孔８４，８６は、例えば袋１４をフレーム１２に固定するために、第１柄部分３０から突出する保持素子または頂部および底部のピン３８，４０にそれぞれ係合するよう配置する。したがって、互いに対応するピン３８，４０の相対位置によって決まるため、袋１４を図３に示した折り畳み状態にあるとき、孔８４，８６は、必ずしも整列するとは限らない。
【００２９】
他の実施例においては、タブの孔８４，８６に収容されるピン３８，４０は、例えば第１柄部分３０から突出し、タブ７２，７４または頂部および底部のパネル後端縁における他の部分を挟み込むクリップのような、等価な保持素子と置換可能である。
【００３０】
使用にあたり、図４につき説明すると、袋１４に挿入したヘッド１６は、例えば握り部５６によってフレーム１２を保持し、排便の前にかがんでいる動物の下方にヘッド１６を配置することによって、処分すべき汚物９０を受け取るように位置決めする。あるいは、袋１４に挿入したヘッド１６は、すでに地面に落ちた汚物をすくうために使用することができる。いずれの場合においても、汚物９０は、ヘッド１６の開口２２上で袋１４の外面９２上に載せ、汚物９０の重さによって袋１４は開口２２内に少し垂れ下がる。上述したように、ヘッド１６は、凹面状、または、汚物９０を受容することができる他の適切な形状とする場合、開口２２は省略可能である。
【００３１】
この時点で、頂部パネル５８の外面９２は、汚物９０によっておそらく汚れる。底部パネル６０の外面９２もまた、地面に接することによりおそらく汚れる。さらに、汚物回収処分具１０をすでに地面に落ちている汚物をすくうために使う場合には、頂部パネル５８または底部パネル６０の外面９２は、ヘッド１６の前端縁２４付近が汚れうる。しかし、頂部パネル５８および底部パネル６０のタブ７２，７４は、柄１８に沿って位置するため、汚物９０をキャッチするまたはすくう間に汚れることはおそらくない。さらに、フレーム１２のヘッド１６はほぼ袋１４内に収容されるため、ヘッド１６は、有利にも、汚物９０または地面によって汚れることから免れる。
【００３２】
図５につき説明すると、汚物９０は、汚れた外面９２が袋１４の新しい内面になり、袋１４の清潔な面９４が新しい外面になるように袋１４を裏返しにすることによって処分される。上側のピン３８は、上側のタブ７２（さもなければフレームに係合した頂部パネルの後端縁）の孔８４内に係合したままであり、下側のピン４０は下側のタブ７４の孔８６から外される。下側のタブ７４（あるいは底部パネルの後端縁）は、図４の矢印Ａおよび図５の矢印Ｂで示したように、ヘッド１６の下前方に引っ張る。袋１４の拡大した側方部分６６は、この裏返し運動を起こすのに必要な緩い部分を提供する。上側のタブ７２は上側のピン３８に取り付けたままであるので、底部パネル６０が徐々に裏返される間、頂部パネル５８は所定の位置のままである。
【００３３】
図６につき説明すると、下側のタブ７４は、矢印Ｃで示すように、ヘッド１６の前端縁２４の前方に、ついで上方に、さらに頂部パネル５８の上方に引っ張る。袋１４のそれまで外面９２であった表面は、このとき袋１４の内面となり、汚物９０は袋内に収納される。この時点で裏返された袋１４は、使用者の手が袋の汚れた表面９２（このとき袋の内側にある）に接触することなくフレーム１２から外され、タブ７２，７４を共に結びつけることによって、しっかり閉じることができる。
【００３４】
図７につき説明すると、フレーム１２から袋１４を取り外す代わりに、代案として、袋１４をフレーム１２の閉止構造に保持することができる。下側のタブ７４における孔８６を上側のピン３８に挿入することによって、上側のタブ７２の上方でフレーム１２に再び取り付ける。つぎに、袋１４を矢印Ｄで示すように約１８０度回転し、袋１４の下部９６がクリップ部材４２から下方に自然に垂れ下がるように、クリップ部材４２の一方内に通過させる。袋１４内の汚物９０の重さは、下部９６をクリップ部材４２内に保持する。上側のピン３８とクリップ部材４２との間の距離は、袋１４の開口端部６８とタブ７２，７４の孔８４，８６との間における距離より小さい。その結果、相互連結した側端縁６４は、袋１４の垂れ下がった下部９６全体に伸びる、つまり、起こりうる漏れを防ぐため、下部９６において頂部パネル５８と底部パネル６０との間に開口部をもたない。従って、使用者が処分するためにフレーム１２から袋１４を取り外し、随意に、例えばタブ７２，７４を結び合わせることによってしっかり閉じうるまで、クリップ部材４２は一時的に袋１４を閉じ合わせる。このことは、使用者が、最小限の操作で袋１４を容易に閉じることを可能とする。
【００３５】
特別な実施例では、複数個の袋１４をヘッド１６の周りに重ねて配置する。その結果、１枚の袋１４を使用し、裏返しにし、取り外すか、または回転して上側のピン３８とクリップ部材４２によって保持した後には、汚物回収処分具１０はすでに次に使用する準備ができている。
【００３６】
したがって、汚物回収処分具１０は、汚物が地面に落下する前に、汚物、例えば犬や他の動物の排泄物を直接キャッチするために使うことができる。代案として、シャベルの前端縁とほぼ同じような形状であるヘッド１６の前端縁２４は、すでに地面に落ちている汚物をすくうために汚物回収処分具１０を使用するのを容易にする。いずれの場合においても、汚物回収処分具１０に受け取られた汚物は、その後、閉じた袋の外面になる部分を汚さずに処分することができる。
【００３７】
他の実施例において、フレーム１２は汚物が落下しそうな地面の上に直接配置する。そして柄１８は、随意に、例えば第１柄部分３０のようなヘッド１６に連結した部材に代替することができる。第１柄部分３０は、袋１４を裏返す間、頂部パネル５８を保持するための少なくとも上側のピン３８または他の等価な保持手段を支持する。このような実施例は、例えば、鳥かごの下で、または猫のトイレ砂の一時的にまたは常に交換するために、または犬に排便の訓練をする場所において通常の新聞の代わりとして使用することができる。このような実施例は、さらに、例えばキャンプや森の中など、トイレに容易に行きにくいところで、人間のトイレとして使用することができる。随意にヘッド１６は、使用を容易にするいかなる十分な手段によって、地面から所要の高さに支持することができる。これらの実施例の全てにおいて、汚物は上面に受け取られ、そして汚物の処理のために、袋は上述のように裏返す。
【００３８】
上述した本発明の実施例は、例示的であることを意図する。従って当業者は、上述したところは単なる説明に過ぎず、本発明の精神から逸脱することなく、様々な代替の構成や変更を考案することができることは認識できるであろう。したがって、本発明は、添付の請求の範囲に収まる全てのこのような代替の構成、変更、そして相違を包含することを意図する。
【図面の簡単な説明】
【００３９】
【図１】本発明の特別な実施例による汚物回収処分具のフレームの斜視図である。
【図２】折り畳んだ保管状態における図１のフレームの斜視図である。
【図３】本発明の特別な実施例による汚物回収処分具の袋の正面図である。
【図４】図１のフレームに図３の袋を使用し、袋上に汚物を受容した状態を示す部分斜視図であり、その上に。
【図５】図４のフレームおよび袋における、袋を部分的に裏返しにした状態を示す部分斜視図である。
【図６】図４のフレームおよび袋における、袋をさらに裏返しにした状態を示す部分斜視図である。
【図７】図４のフレームおよび袋における、袋を完全に裏返しにした状態であり、フレームの閉止構造によって支持した状態を示す部分斜視図である。
【図１】
2009532040.tif 000003
【図２】
2009532040.tif 000004
【図３】
2009532040.tif 000005
【図４】
2009532040.tif 000006
【図５】
2009532040.tif 000007
【図６】
2009532040.tif 000008
【図７】
2009532040.tif 000009
【国際調査報告】
2009532040.tif 000010
2009532040.tif 000011